(57)【要約】【課題】構造が簡素で、消費エネルギーが少なく、構造強度が高い上、構造体及び発光装置に応用することができる埋込型発光装置を提供する。【解決手段】本考案の埋込型発光装置は、基礎体１及び少なくとも１つの導光部材２を備える。基礎体１は、少なくとも１つの表示面１２を有する。導光部材２は、導入端２１及び出射端２２を有し、少なくとも一部が基礎体１内に嵌合された導光体であり、導光部材２の導入端２１が少なくとも１つの光源体３に対応し、光源体３の光線を案内し、導光部材２の出射端２２が表示面１２から露出され、光源体３の光を出射させる。導光部材２の導入端２１は、基礎体１の外側へ延伸される。基礎体１の内部には、収納空間が設けられる。光源体３は、収納空間内に設置される。導光部材２の少なくとも一部の導入端２１は、収納空間内で露出される。導入端２１は、小面積に密集配列される。【選択図】図３
0003175025.tif 000002
【実用新案登録請求の範囲】
【請求項１】
基礎体及び少なくとも１つの導光部材を備えた埋込型発光装置であって、
前記基礎体は、少なくとも１つの表示面を有し、
前記導光部材は、導入端及び出射端を有し、少なくとも一部が前記基礎体内に嵌合された導光体であり、前記導光部材の前記導入端が少なくとも１つの光源体に対応し、前記光源体の光線を案内し、前記導光部材の前記出射端が前記表示面から露出され、前記光源体の光を出射させることを特徴とする埋込型発光装置。
【請求項２】
前記導光部材の前記導入端は、前記基礎体の外側へ延伸されることを特徴とする請求項１に記載の埋込型発光装置。
【請求項３】
前記基礎体の内部には、収納空間が設けられ、
前記光源体は、前記収納空間内に設置され、
前記導光部材の少なくとも一部の前記導入端は、前記収納空間内で露出されることを特徴とする請求項１に記載の埋込型発光装置。
【請求項４】
前記導入端は、小面積に密集配列されることを特徴とする請求項１乃至３の何れかに記載の埋込型発光装置。
【請求項５】
前記出射端は、配列されて図形部に形成されることを特徴とする請求項１乃至４の何れかに記載の埋込型発光装置。
【請求項６】
前記光源体は、外部の交流電源からの電流を変圧・整流する直流電源と電気的に接続されることを特徴とする請求項１乃至５の何れかに記載の埋込型発光装置。
【請求項７】
前記光源体は、蓄電池と電気的に接続され、
前記蓄電池は、外部から供給される直流電気を蓄える電源管理ユニットを有し、前記直流電流の供給に異常が発生したときに、必要な電気エネルギーを前記光源体に供給することを特徴とする請求項６に記載の埋込型発光装置。
【請求項８】
前記電源管理ユニットは、ソーラーパネルに接続されることを特徴とする請求項７に記載の埋込型発光装置。
【請求項９】
前記光源体の外周には、ランプカバーが設けられることを特徴とする請求項１乃至８の何れかに記載の埋込型発光装置。
【請求項１０】
前記基礎体はコンクリート構造体であることを特徴とする請求項１乃至３の何れかに記載の埋込型発光装置。
【請求項１１】
前記導光部材は光ファイバであることを特徴とする請求項１乃至３の何れかに記載の埋込型発光装置。
【考案の詳細な説明】
【技術分野】
【０００１】
本考案は、埋込型発光装置に関し、特に、構造が簡素で、消費電力が少なく、構造強度が大きく、構造体及び発光装置に応用する埋込型発光装置に関する。
【背景技術】
【０００２】
従来の大型の点光源（例えば、白熱電球）は、輝度が不均一で、消費電力が大きく、熱源が集中しすぎるなどの欠点があるため、実際に応用する際、制限されて克服することができない問題がある。小型の点光源を複数配列させて各種文字、図形などを形成すると、輝度が均一となり好ましい表示効果を得ることができる。そのため、上述の大型の点光源（例えば、交通信号灯、表示ランプなどの構造）は小型の点光源により徐々に代替されてきている。しかし、代表的な点光源要素（例えば、発光ダイオードＬＥＤ）は、それ自体が小型の熱源でもあるため、一定の数を組み合わせて使用した場合、大量の熱エネルギーが発生することがある。そのため、点光源要素に隣接した箇所には、基本的な放熱機構（例えば、放熱フィン又は冷却ファン）を設けなければ故障が発生したり、使用寿命が短くなったりすることがあり、製品の設計及び変化を間接的に制限し、製品の競争力に悪影響を与える虞がある。
【０００３】
さらに、複数の小型点光源を配列して構成した照明構造又は表示光源構造は、強度が強い外カバーを周側部に設けて適宜保護するが、点光源要素（ＬＥＤ）は、発光する側を露出させる必要がある上、透光要素（例えば、ガラス、透明プラスチック片など）の構造強度が依然として好ましくないため保護効果が不足していた。また、消費電力が多いため、エネルギーが浪費されて経済性も低い。
【考案の概要】
【考案が解決しようとする課題】
【０００４】
複数の小型点光源を配列して構成した従来の照明構造又は表示光源構造には、上述したような欠点があった。そのため、本考案の第１の目的は、導光経路上で放熱が行われないため、表示部位の周辺に放熱機構を設ける必要がなく、製品開発を簡素化させることができるとともに設計を多様化させることもできるため、製品の競争力を高めることができる埋込型発光装置を提供することにある。
本考案の第２の目的は、その全体構造上、好適な構造強度を得て、水分、埃などにより各部材が損壊することを防ぐ埋込型発光装置を提供することにある。
本考案の第３の目的は、複数の簡素な電源供給を有し、全体の生産コストを有効に下げることができる埋込型発光装置を提供することにある。
【課題を解決するための手段】
【０００５】
上記課題を解決するために、本考案の第１の形態によれば、基礎体及び少なくとも１つの導光部材を備えた埋込型発光装置であって、前記基礎体は、少なくとも１つの表示面を有し、前記導光部材は、導入端及び出射端を有し、少なくとも一部が前記基礎体内に嵌合された導光体であり、前記導光部材の前記導入端が少なくとも１つの光源体に対応し、前記光源体の光線を案内し、前記導光部材の前記出射端が前記表示面から露出され、前記光源体の光を出射させることを特徴とする埋込型発光装置が提供される。
【０００６】
前記導光部材の前記導入端は、前記基礎体の外側へ延伸されることが好ましい。
【０００７】
前記基礎体の内部には、収納空間が設けられ、前記光源体は、前記収納空間内に設置され、前記導光部材の少なくとも一部の前記導入端は、前記収納空間内で露出されることが好ましい。
【０００８】
前記導入端は、小面積に密集配列されることが好ましい。
【０００９】
前記出射端は、配列されて図形部に形成されることが好ましい。
【００１０】
前記光源体は、外部の交流電源からの電流を変圧・整流する直流電源と電気的に接続されることが好ましい。
【００１１】
前記光源体は、蓄電池と電気的に接続され、前記蓄電池は、外部から供給される直流電気を蓄える電源管理ユニットを有し、前記直流電流の供給に異常が発生したときに、必要な電気エネルギーを前記光源体に供給することが好ましい。
【００１２】
前記電源管理ユニットは、ソーラーパネルに接続されることが好ましい。
【００１３】
前記光源体の外周には、ランプカバーが設けられることが好ましい。
【００１４】
前記基礎体はコンクリート構造体であることが好ましい。
【００１５】
前記導光部材は光ファイバであることが好ましい。
【考案の効果】
【００１６】
本考案の埋込型発光装置は、構造が簡素で、消費エネルギーが少なく、構造強度が高い上、構造体及び発光装置に応用することができる。
【図面の簡単な説明】
【００１７】
【図１】図１は本考案の第１実施形態による埋込型発光装置を上方から見たときの状態を示す斜視図である。
【図２】図２は本考案の第１実施形態による埋込型発光装置を下方から見たときの状態を示す分解斜視図である。
【図３】図３は本考案の第１実施形態による埋込型発光装置を示す断面図である。
【図４】図４は本考案の第２実施形態による埋込型発光装置を示す断面図である。
【図５】図５は本考案の第３実施形態による埋込型発光装置の応用例を示す斜視図である。
【図６】図６は本考案の第４実施形態による埋込型発光装置の応用例を示す平面図である。
【図７】図７は本考案の第５実施形態による埋込型発光装置の応用例を示す斜視図である。
【図８】図８は本考案の第６実施形態による埋込型発光装置の応用例を示す斜視図である。
【図９】図９は本考案の第７実施形態による埋込型発光装置の応用例を示す斜視図である。
【図１０】図１０は本考案の第８実施形態による埋込型発光装置の応用例を示す斜視図である。
【図１１】図１１は本考案の第９実施形態による埋込型発光装置の応用例を示す斜視図である。
【考案を実施するための形態】
【００１８】
以下、本考案の実施形態について図に基づいて説明する。なお、これによって本考案が限定されるものではない。
（第１実施形態）
【００１９】
図１〜図３を参照する。図１〜図３に示すように、本考案の第１実施形態による埋込型発光装置は、少なくとも基礎体１及び複数の導光部材２から構成される。基礎体１は、コンクリート、土又はそれらに類似した材料からなり、固定形状の硬質構造体である。基礎体１上には、少なくとも１つ（又は複数）の表示面１２が設けられている。導光部材２は、長尺状の好ましい導光体（例えば、光ファイバ材料）であり、少なくとも一部が基礎体１内にそれぞれ嵌合され、各導光部材２には、出射端２２及び導入端２１がそれぞれ設けられる。各出射端２２は、表示面１２上まで延伸され、各導入端２１に集中されて少なくとも１つ（又は複数）の小面積を得るとともに、基礎体１の表面の１つから露出される。
【００２０】
上述の構造を実際に使用する際、光源体３が基礎体１の外側に設置される以外に、各導光部材２の導入端２１に隣接（又は当接）され、必要に応じて、集光効果を有するランプカバー３１を光源体３の外周に設置してもよい。実際に使用する際、一般の状態下で光源体３は、商用電源（交流電源）を変圧・整流して直流電源に変換し、発生した光を導入端２１から各導光部材２内へ案内する。導光部材２は、それ自体が有する導光特性により、伝達する過程において光減衰が発生せず、出射端２２から外部へ完全な状態で出射され、各表示面１２上に、複数の点光源を規則状又は不規則状に設けて装飾効果を得る。
【００２１】
本考案は、出射端２２を組み合わせて配列した構成により、ＬＥＤなどの点光源の光表示効果を得ることができる上、各導光部材２の伝達過程で熱エネルギの損失がない（光源体３だけに放熱要求が限定され、光源体３は、基礎体１の表示面１２以外の他の部位に隠される）。そのため、表示面１２を簡素かつ柔軟に設計することができ、製品の競争力を効果的に高めることができるとともに、基礎体１が最適な構造強度を有するため、導光部材２及び光源体３を適宜保護することができる。
（第２実施形態）
【００２２】
図４を参照する。図４に示すように、本考案の第２実施形態による埋込型発光装置は、少なくとも基礎体１０及び導光部材２０から構成される。基礎体１０の表面には、少なくとも１つ（又は複数）の表示面１０２が形成され、基礎体１０の内部には、少なくとも１つ（又は複数）の収納空間１０１が設けられている。複数の導光部材２０は、基礎体１０内にそれぞれ嵌設される。各導光部材２０の両端には、出射端２０２及び導入端２０１がそれぞれ設けられる。各出射端２０２は、表示面１０２から露出される。各導入端２０１は、集められて収納空間１０１内で露出される。実際に使用する際、ランプカバー３１を有する光源体３を収納空間１０１内に収納し、光源体３に通電して生成した光が、導入端２０１から各導光部材２０内に入った後、各出射端２０２から出射される。
（第３実施形態）
【００２３】
図５を参照する。図５に示すように、本考案の第３実施形態による埋込型発光装置は、第２実施形態（又は第１実施形態）に基づく応用例であり、基礎体１ａ，１ｂ及び前述と同様の導光部材２０（又は導光部材２）を含む。基礎体１ａ，１ｂは机、椅子などに形成され、導光部材２０（又は導光部材２）は、第２実施形態（又は第１実施形態）と同様の方式により、基礎体１ａ，１ｂ内に設置され、各出射端２０２（又は出射端２２）を基礎体１ａ，１ｂの表側へ設けることにより、基礎体１ａ，１ｂの机、椅子構造が、一般の実用機能を有する以外に、表面に設けられた光点により装飾効果を得て、見た目を向上させることができる。
（第４実施形態）
【００２４】
図６を参照する。図６に示すように、本考案の第４実施形態による埋込型発光装置は、基礎体１ｃと、上述の実施形態と同様の導光部材２０（又は導光部材２）と、を含む。基礎体１ｃは、歩道の縁部と道路との接続部のコンクリート突起部に形成される。導光部材２０（又は導光部材２）は、第２実施形態（又は第１実施形態）と同じ方式により基礎体１ｃ内に設置し、各出射端２０２（又は出射端２２）を基礎体１ｃの表側へ設け、基礎体１ｃの表面に設けた光点により歩道と道路との境目を明確にし、交通事故の発生を防ぐことができる上、道路の端部を装飾することにより、道全体を華やかに見せる視覚的効果を得ることができる。
（第５実施形態）
【００２５】
図７を参照する。図７に示すように、本考案の第５実施形態による埋込型発光装置は、基礎体１ｄと、前述の実施形態と同様の導光部材２０（又は導光部材２）と、を含む。基礎体１ｄは、歩道のブロック塀ユニットに形成される。導光部材２０（又は導光部材２）は、第２実施形態（又は第１実施形態）と同じ方式により基礎体１ｄ内に設置し、各出射端２０２（又は出射端２２）を基礎体１ｄの表側へ必要に応じて配列し、基礎体１ｄを積層して壁面が形成される。各導光部材２０（又は導光部材２）の出射端２０２（又は出射端２２）を配列して図形又は文字を形成し、案内機能、標示機能又は警告機能を得る。
（第６実施形態）
【００２６】
図８を参照する。図８に示すように、本考案の第６実施形態による埋込型発光装置は、基礎体１ｅと、前述の実施形態と同様の導光部材２０（又は導光部材２）と、を含む。基礎体１ｅは、鉢に製作してもよい。導光部材２０（又は導光部材２）は、第２実施形態（又は第１実施形態）と同じ方式により基礎体１ｅ内に設置し、出射端２０２（又は出射端２２）は、基礎体１ｅの表側へ設け、鉢の表面に設けた光点により見た目の装飾効果を高めてもよい。
（第７実施形態）
【００２７】
図９を参照する。図９に示すように、本考案の第７実施形態による埋込型発光装置は、基礎体１ｆと、前述の実施形態と同様の導光部材２０（又は導光部材２）と、を含む上、ソーラーパネル４１と、電気エネルギーを蓄える蓄電池４と、を含む。基礎体１ｆは、大型の花瓶（又は高い花瓶）に製作してもよい。導光部材２０（又は導光部材２）は、第２実施形態（又は第１実施形態）と同じ方式により基礎体１ｆ内に配置し、各出射端２０２（又は出射端２２）を基礎体１ｆの表面に設けることにより、大型花瓶に形成した基礎体１ｆの表面に設けた光点により見た目を向上させる。
【００２８】
上述の構造を実際に応用する際、蓄電池４内部に電源管理ユニット（図示せず）を設け、外部環境の違いに応じ、電源管理ユニットにより電気供給源を切り替える。例えば、太陽光が強いとき、ソーラーパネル４１により電気エネルギーを発生させて蓄電池４を充電する。外部光線が不足するとき、蓄電池４に蓄えた電気エネルギーを光源体へ供給し、蓄電池４の電気エネルギーを使い果たして太陽光が弱い場合、商用電源（交流電源）を変圧・整流して光源体に必要な直流電源に変換する。この構成により、複数の電気供給源を有する構造を形成する。
（第８実施形態）
【００２９】
図１０を参照する。図１０に示すように、本考案の第８実施形態による埋込型発光装置は、第７実施形態に類似し、基礎体１ｇと、前述の実施形態と同様の導光部材２０（又は導光部材２）と、を含む。基礎体１ｇは、略錐状のパイロン又は道路フェンスに製作してもよい。導光部材２０（又は導光部材２）は、第２実施形態（又は第１実施形態）と同じ方式により基礎体１ｇ内に設置し、各出射端２０２（又は出射端２２）を基礎体１ｇの表側へ設け、ソーラーパネル４１を基礎体１ｇの頂面へ設け、基礎体１ｇ内部に予め設けた収納空間内に蓄電池を設置し、ソーラーパネル４１に光が当たって発生した電気エネルギーを蓄電池に蓄え、基礎体１ｇ（パイロン又は道路フェンス）の表面により、光線が不足した環境下でも装飾効果及び警告効果を得ることができる。
（第９実施形態）
【００３０】
図１１を参照する。図１１に示すように、本考案の第９実施形態による埋込型発光装置は、第８実施形態に類似し、基礎体１ｈと、前述の実施形態と同様の導光部材２０（又は導光部材２）と、を含む。基礎体１ｈは、歩道の縁部によりオートバイが進入することを防ぐ道路フェンス又は塀に製作してもよい。導光部材２０（又は導光部材２）は、第２実施形態（又は第１実施形態）と同じ方式により基礎体１ｈ内に設置し、各出射端２０２（又は出射端２２）を基礎体１ｈの表側へ設け、基礎体１ｈの頂面へソーラーパネル４１を設け、蓄電池を基礎体１ｈ内部に予め設ける構成によりソーラエネルギを蓄えることができる。基礎体１ｈは、暗い環境下でも、表面に設けた光点により装飾効果及び警告効果を得る。
【００３１】
本実施形態は、実際に応用する場合、各実施形態で開示した見た目の装飾（例えば、花瓶）へ応用した場合、光線により隔離機能又は案内機能を得る地面ブロック、壁ブロック、様々な道路フェンスなど、様々な分野へ広く適用することができる。
【００３２】
上述したことから分かるように、本考案の埋込型発光装置は、構造が簡素で、消費エネルギーが少なく、構造強度が高い上、構造体及び発光装置に応用することができる。
【００３３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３４】
１  基礎体
１ａ  基礎体
１ｂ  基礎体
１ｃ  基礎体
１ｄ  基礎体
１ｅ  基礎体
１ｆ  基礎体
１ｇ  基礎体
１ｈ  基礎体
２  導光部材
３  光源体
４  蓄電池
１０  基礎体
１２  表示面
１３ｅ  図形部
２０  導光部材
２１  導入端
２２  出射端
３１  ランプカバー
４１  ソーラーパネル
１０１  収納空間
１０２  表示面
２０１  導入端
２０２  出射端
【図１】
0003175025.tif 000003
【図２】
0003175025.tif 000004
【図３】
0003175025.tif 000005
【図４】
0003175025.tif 000006
【図５】
0003175025.tif 000007
【図６】
0003175025.tif 000008
【図７】
0003175025.tif 000009
【図８】
0003175025.tif 000010
【図９】
0003175025.tif 000011
【図１０】
0003175025.tif 000012
【図１１】
0003175025.tif 000013